(57)【要約】      （修正有）【課題】紙葉を部分的に折り返す操作を繰り返すことにより表示部の文字や図柄が切換表示される多面表示体を、瓶形商品に付するのに適する構成とし、その多面表示の奇抜さに興味をもつ購買者に対して、多面表示による販売促進の多情報伝達の効果を有効に発揮させる瓶形商品用ノベルティーピースを提供する。【解決手段】口部が細い瓶状の容器２の商品における該口部に外嵌させ、その商品に関連する多情報を切換表示するようにした瓶形商品用ノベルティーピースであって、２枚の紙葉３，４をそれらに設けた折り目線８において順次折り返して文字や図柄の多情報を切換表示するときに、該紙葉の一部に上記口部に外嵌する穴１０が現れるようにし、また、紙葉３，４を折り目線８において順次折り返すうちに、購買者に多面表示の奇抜さに興味を持たせ、販売促進効果を発揮させる。【選択図】図８
0003215692.tif 000002
【実用新案登録請求の範囲】
【請求項１】
厚紙状のシートにより形成され、口部が細い瓶状の容器に内容物を封入した商品の該口部に外嵌させて保持することにより、上記シートに該瓶状の容器の内容物に関連する多情報を表示するようにした瓶形商品用ノベルティーピースであって、
上記シートは、矩形状をなす２枚の等大の紙葉の裏面四隅に形成した接着部を、相互に接着することにより構成され、両紙葉における該接着部は、両紙葉の縦及び横方向の両外側端からそれらの外側端間の長さの１／４の範囲内にあるものとし、また、両紙葉は、その一方を縦方向の中央部において、その他方を横方向の中央部において、それぞれ切れ目線で２分することによりそれぞれ半片としているが、上記接着部において相互に接合することにより一体化されており、更に、両紙葉は、上記中央部の切れ目線の方向で、両外側端からそれぞれ当該紙葉の全幅の１／４だけ内側に入った位置に、他方の紙葉が重なっていない方向に折り曲げる折り目線を設けることにより構成され、
上記２枚の紙葉をそれらに設けた折り目線において順次折り返すときに、上記２枚の紙葉のうちの一方の紙葉の一対の半片と、それらの両端を接着部において連結している他方の紙葉の一対の半片とのうちで、少なくとも一方の紙葉の半片の対が並んで接合した状態にあるときの該半片間の中央の部位に、上記瓶状の容器の口部に外嵌させる穴を開設している、
ことを特徴とする瓶形商品用ノベルティーピース。
【請求項２】
上記瓶状の容器の口部に外嵌させる穴が、少なくとも２枚の紙葉のそれぞれに開設されていることを特徴とする請求項１に記載の瓶形商品用ノベルティーピース。
【請求項３】
上記瓶状の容器の口部に外嵌させる穴の複数が、その大きさを異にすることにより、瓶状の容器の口部の径が異なる部位に保持させることを可能にしたことを特徴とする請求項２に記載の瓶形商品用ノベルティーピース。
【請求項４】
上記シートを構成する２枚の矩形状をなす紙葉における長辺と短辺の長さの比を３：２〜２：１とし、瓶状の容器の口部に外嵌させる穴をもつ紙葉の選択により、容器の口部から側方に突出するシートの長さを選択可能にしたことを特徴とする請求項２又は３に記載の瓶形商品用ノベルティーピース。
【考案の詳細な説明】
【技術分野】
【０００１】
本考案は、瓶に内容物を封入した商品、又はそれを模して瓶形に形成した商品に付する形態をもつ紙葉に、その商品についての情報や販売促進のための説明、図柄を多量に標記できるように形成するに当たり、該紙葉の構造上の奇抜さを楽しみながらその内容を見らるようにした、瓶形商品用ノベルティーピースに関するものである。
【背景技術】
【０００２】
従来から、各種商品を新しく発売する場合等には、当該商品についての情報や、各種図柄等を含む販売促進のための説明を記した説明書的な紙葉等が付されている。この種の紙葉等は、商品情報が可及的に目立ち易く、また、表示面積を拡大して、必要な表示量を確保するなどの配慮が払われているが、その紙葉が商品と共に包装されていても、その商品の購買者の目にとまることはなく、そのため、陳列された商品と共に購買者の目にとまることが重要であり、また、上記紙葉等の表示は、通常、商品の利用者が日常的に見聞しているような内容や、その商品の業界等において記載を義務づけられているようなものが多く、興味を持って楽しみながら表示内容を通読することは必ずしも多いとは言えないものである。
【０００３】
一方、本考案者は、本考案に係るノベルティーピースとは使用の目的が相違するが、基本的には構成が近似した多面表示葉書を先に開発し、それを、特許文献１において既に提案している。この多面表示葉書２０は、図１０の（ａ）及び（ｂ）に表裏各面の形態を示しているように、２枚の葉書大の紙葉２１，２２を並べて接合したシートによって形成されるもので、そのシートを形成する紙葉２１，２２の裏面四隅に形成した多点表示の接着部２１ａ及び２２ａを相互に接着することにより一体的に構成されたものである。
【０００４】
更に具体的に説明すると、上記両紙葉２１，２２のうち、その一方である紙葉２１は、縦方向の中央部において切れ目線２１ｂにより、その他方である紙葉２２は、横方向の中央部において切れ目線２２ｂにより、それらをそれぞれ２分して半片とし、両紙葉２１，２２をそれらの間の区分線２３において折り返して、その際に重なり合う接着部２１ａ，２２ａにおいて相互に接合することにより、各半片を全体的に一体化し、更に、上記両紙葉２１，２２は、上記中央部の切れ目線２１ｂ，２２ｂと直交する方向で、接着部を設けている両外側端と該切れ目線２１ｂ，２２ｂとの間を２分する位置に、他方の紙葉が重なっていない方向に折り曲げる折り目線２１ｃ及び２２ｃを設けることによって構成している。
【０００５】
上記２枚の葉書大の紙葉２１，２２同士の裏面の接着部２１ａ，２２ａを相互に貼り合わせることにより形成した既知の多面表示葉書２０は、それらの紙葉の表裏各面に、文字や図柄によって、紹介しようとする商品の説明等を表示し、それを郵送等で多くの宛名人に送付するようにしたものであり、図２〜図５を参照して後述する本考案の瓶形商品用ノベルティーピースと同様に、上記折り目線２１ｃ，２２ｃにおいて紙葉２１，２２を部分的に折り返す操作を繰り返すことにより、上記紙葉の表裏両面に表示した文字や図柄が、逐次組み合わされて切換表示されるものであり、各面への表示を適切に行うことにより、例えば、対象商品の使用方法等を順序立てて切換表示させることができるものである。
【０００６】
上述した多面表示葉書２０は、多面表示の情報を伝達媒体の構造上の奇抜さにより興味をもって見られるようにして、宛名人にその情報を伝達しやすくしているが、それを商品の販売の促進等に利用しようとする場合には、その商品が目前にある状態で、当該商品についての特徴的な情報を順次表示できるようにするのがより効果的である。そのためには上記情報の伝達媒体を葉書のように単独で配布するのではなく、商品に付して販売するノベルティーピースの形態を有し、その商品についての情報や販売促進のための説明を記載したものとすることが望ましい。
【０００７】
更に、上記ノベルティーピースは、それを商品に付して店頭に陳列するに当たっても、例えば、商品と共に包装した状態で展示するのでは、その包装自体に手数が掛かるだけでなく、そのノベルティーピースにおける表示内容を顧客が手にとって確かめることもできない。したがって、店頭にその商品を陳列する際に、該ノベルティーピースにおける構造上の奇抜さをより興味深く見せるように配置することによって、多面表示による多情報伝達の効果をより有効に発揮できるようにすることが望まれる。
【０００８】
また、上記ノベルティーピースを多数の商品に付するに際しては、その取り付け・取り外し構造が簡便であることが販売者の立場から極めて重要であるため、本考案者が種々の考察を行った結果、当該ノベルティーピースは、瓶状をなす容器の口部に外嵌させて取り付けるのが、その紙葉の一部に穴を開設するだけの簡単な構成で、商品に対する着脱を極めて容易に行うことができ、しかも、当該ノベルティーピースの取り付けの目的に適合する最適の手法であることに思い至り、しかも、この場合には、後述するノベルティーピースの展示の態様からも明らかなように、紙葉に対する穴の数や大きさを選定するだけで、瓶状をなす容器の口部に多くのバリエーションをもって着脱でき、それを販売促進に役立て得ることは明らかである。
【先行技術文献】
【特許文献】
【０００９】
【特許文献１】特開２００３−３４１２６４号公報
【考案の概要】
【考案が解決しようとする課題】
【００１０】
本考案は、本考案者の上述した考察に基づいてなされたもので、その技術的課題は、構成自体が既知であるが構造上に奇抜さがある多面表示のノベルティーピースを、瓶形商品に付するのに適するように構成すると共に、その構成の奇抜さに興味をもって購買者が該ノベルティーピースの表示内容を手にとって見られるようにし、多面表示による多情報伝達の効果を有効に発揮させることを可能にしたところの、瓶形商品用ノベルティーピースを提供することにある。
【課題を解決するための手段】
【００１１】
上記課題を解決するため、本考案によれば、厚紙状のシートにより形成され、口部が細い瓶状の容器に内容物を封入した商品の該口部に外嵌させて保持することにより、上記シートに該瓶状の容器の内容物に関連する多情報を表示するようにした瓶形商品用ノベルティーピースであって、上記シートは、矩形状をなす２枚の等大の紙葉の裏面四隅に形成した接着部を、相互に接着することにより構成され、両紙葉における該接着部は、両紙葉の縦及び横方向の両外側端からそれらの外側端間の長さの１／４の範囲内にあるものとし、また、両紙葉は、その一方を縦方向の中央部において、その他方を横方向の中央部において、それぞれ切れ目線で２分することによりそれぞれ半片としているが、上記接着部において相互に接合することにより一体化されており、更に、両紙葉は、上記中央部の切れ目線の方向で、両外側端からそれぞれ当該紙葉の全幅の１／４だけ内側に入った位置に、他方の紙葉が重なっていない方向に折り曲げる折り目線を設けることにより構成され、上記２枚の紙葉をそれらに設けた折り目線において順次折り返すときに、上記２枚の紙葉のうちの一方の紙葉の一対の半片と、それらの両端を接着部において連結している他方の紙葉の一対の半片とのうちで、少なくとも一方の紙葉の半片の対が並んで接合した状態にあるときの該半片間の中央の部位に、上記瓶状の容器の口部に外嵌させる穴を開設していることを特徴とする瓶形商品用ノベルティーピースが提供される。
【００１２】
本考案に係る瓶形商品用ノベルティーピースの好ましい実施形態においては、上記瓶状の容器の口部に外嵌させる穴が、少なくとも２枚の紙葉のそれぞれに開設されているものとして構成することもでき、その場合には、上記瓶状の容器の口部に外嵌させる穴の複数が、その大きさを異にすることにより、瓶状の容器の口部の径が異なる部位に保持させることが可能になる。
【００１３】
また、本考案に係る上記瓶形商品用ノベルティーピースの他の好ましい実施形態においては、上記シートを構成する２枚の矩形状をなす紙葉における長辺と短辺の長さの比を３：２〜２：１とし、瓶状の容器の口部に外嵌させる穴をもつ紙葉を選択することにより、容器の口部から側方に突出するシートの長さを選択可能にすることもできる。
【考案の効果】
【００１４】
以上に詳述した本考案に係る多面表示葉書によれば、構成自体が既知であるが、構造上に奇抜さがある多面表示のノベルティーピースを、瓶形商品に着脱するのに適する穴を紙葉に開設した簡易な構成にすると共に、その構成の奇抜さに興味をもって購買者が該ノベルティーピースの表示内容を手にとって見られるようにし、それによって、多面表示による多情報伝達の効果を有効に発揮させることを可能にしたところの瓶形商品用ノベルティーピースを提供することができる。
【図面の簡単な説明】
【００１５】
【図１】本考案に係る瓶形商品用ノベルティーピースの実施例を示し、（ａ）はそのシートを形成する２枚の紙葉を連結状態で示す表面側の平面図、（ｂ）はそのシートの裏面側の平面図である。
【図２】上記第１実施例における上記２枚の紙葉の裏面側の各接着部を相互に貼り合わせた状態を示す斜視図である。
【図３】上記第１実施例の図２の状態にある第１の紙葉のＡ表示面及びＢ表示面を、それぞれ、第２の紙葉における折り目線９，９において矢印の方向に折曲反転させた状態を示す斜視図である。
【図４】上記第１実施例の図３の状態にある第２の紙葉のＥ表示面及びＦ表示面を、それぞれ、第１の紙葉における折り目線８，８において本図の矢印の方向に折曲反転させた状態を示す斜視図である。
【図５】上記第１実施例の図４の状態にある第１の紙葉のＧ・Ｈ表示面及び第２の紙葉のＬ・Ｋ表示面、並びに第１の紙葉のＩ・Ｊ表示面及び第２の紙葉のＮ・Ｍ表示面を、それぞれ、第２の紙葉における折り目線９，９において本図の矢印の方向に折曲反転させた状態を示す斜視図である。
【図６】上記第１実施例のノベルティーピースの紙葉を、その折り目線において折り返すことにより、それを次図に示すように瓶状の容器の口部に外嵌させる形態にしたところを示す斜視図である。
【図７】記第１実施例のノベルティーピースを図６の形態にして瓶状の容器の口部に外嵌させた状態の一例を示す要部断面図である。
【図８】上記第１実施例とは異なる形態の２枚の紙葉を用いて形成したノベルティーピースを瓶状の容器の口部に外嵌させた状態を示す斜視図である。
【図９】（ａ）は本考案の第２実施例に係るノベルティーピースを構成する２枚の紙葉の表面側の平面図、（ｂ）はその裏面側の平面図である。
【図１０】本考案者が既提案の多面表示葉書の構成を示すもので、（ａ）はその多面表示葉書を形成する２枚の紙葉を連結状態で示す表面側の平面図、（ｂ）はその裏面側の平面図である。
【考案を実施するための形態】
【００１６】
図１〜図５は、本考案に係る瓶形商品用ノベルティーピース１の第１実施例の構成及びその形態の変形の態様を示し、また、図６は口部２ａが細い瓶状の容器２（図７参照）に内容物を封入した商品の該口部２ａに、本考案に係るノベルティーピース１を外嵌させた状態を、更に、図８は、図７とは異なる形状の他の容器２に、形態を異にする他のノベルティーピース１を外嵌させた状態を例示的に示している。
【００１７】
上記第１実施例のノベルティーピース１を構成するところの図１の（ａ）（ｂ）に示す第１及び第２の紙葉３，４は、切れ目線（折り目線でも可）５において二つ折りしたうえで、図１の（ｂ）に示す裏面の四隅に形成した接着部３ａ，４ａを相互に接着することによりノベルティーピース１とするもので、それらの接着部を除く全面に、瓶状の容器２の内容物に関連する多情報や販売促進のための説明等を文字や図柄によって表示するように構成している。
【００１８】
本考案に係る第１実施例の構成について更に具体的に説明すると、このノベルティーピース１は、厚紙状で矩形状をなすシートにより形成され、図１の（ａ）及び（ｂ）に表裏各面の形態を示している２枚の等大の紙葉３，４を切れ目線５を介して連結したシートの裏面の四隅に、上記接着部３ａ，４ａを設けているが、該接着部３ａ，４ａは両紙葉３，４の縦及び横方向の両外側端からそれらの外側端間の長さの１／４の範囲内にあるように形成している。なお、図中の紙葉３，４の表裏面に付したＡ〜Ｎの記号は、紙葉に印刷等によって表示される文字や図柄で、図においては、以下に詳述するように、上記紙葉３，４を部分的に折り返す操作を繰り返す段階で表面に現れる文字や図柄を区別するために付している。
【００１９】
上記両紙葉３，４は、図１の（ａ）（ｂ）によって明らかなように、その一方である第１の紙葉３においては、該紙葉３を縦方向の中央部において、また、その他方である第２の紙葉４においては、該紙葉４を横方向の中央部において、それぞれ切れ目線６，７で２分することにより、それぞれを半片としているが、前記接着部３ａ，４ａにおいて第１及び第２の紙葉３，４の表裏を連結することから、上記切れ目線６，７で半片となった紙葉３，４も、ノベルティーピース１としては全体的に一体化されている。
【００２０】
更に、両紙葉３，４は、図１の（ａ）（ｂ）から分かるように、それぞれ一対の折り目線８，９を設けている。これを具体的に説明すると、上記第１の紙葉３においては、前記中央部の切れ目線６に沿う方向で、裏面に接着部３ａ，３ａを設けている左右両外側端からそれぞれ当該紙葉３の全幅の１／４だけ内側に入った位置に、他方の第２の紙葉４が重なっていない方向に折り曲げる折り目線８を備え、一方、上記第２の紙葉４においては、前記中央部の切れ目線７に沿う方向で、裏面に接着部４ａ，４ａを設けている縦方向両外側端からそれぞれ当該紙葉４の全幅の１／４だけ内側に入った位置に、他方の第１の紙葉３が重なっていない方向に折り曲げる折り目線９を備えることにより構成している。
【００２１】
なお、ここでは紙葉３，４の縦横の寸法に触れることなく、図では紙葉３，４が矩形状に描記されているが、該紙葉が、矩形のうちでも各辺の長さが同一である正方形の場合には、紙葉３，４はそれらの半片を含めて全く同一形態になる。そのため、紙葉３，４として矩形の一特殊形態である正方形のものを用いる場合には、それらの表裏面への文字や図柄の印刷等は別として、それらを区別して製造する必要はない。
【００２２】
また、本考案に係るノベルティーピース１は、図７や図８に例示しているように、それを瓶状の容器２に簡易に取り付け、また顧客らがそれを簡易に手にすることを可能にするための簡易な手段として、上述のように構成したノベルティーピース１における少なくとも一方の紙葉に、上記瓶状の容器２の口部２ａに外嵌させる穴１０を開設している。
【００２３】
上記容器２の口部２ａに外嵌させる穴１０は、この第１実施例においては、図１及び図２等に示すように、紙葉３の中央に設けているが、更に具体的には、図９の第２実施例として後述するように、第１及び第２の紙葉３及び４にその複数を設けることもでき、それらの場合において、上記穴は、上記２枚の紙葉３，４をそれらに設けた折り目線８，９において順次折り返すときに、上記２枚の紙葉のうちの一方の紙葉の一対の半片と、それらの両端を接着部３ａ，４ａにおいて連結している他方の紙葉の一対の半片とのうちで、いずれかの紙葉の半片の対が並んで接合した状態にあるところの該半片間の中央の部位に設けることができる。
【００２４】
次に、図２〜図６を参照して、上記ノベルティーピース１における紙葉３，４の表裏面の文字や図柄を順次多面表示させるための操作について説明する。
まず、上記紙葉３，４を接着部３ａ，４ａにおいて貼り合わせることによって、Ａ表示面及びＢ表示面の文字等が前面に表示されている図２の状態において、図３に示しているように、該紙葉３のＡ表示面及びＢ表示面を、それぞれ紙葉４における折り目線９，９において矢印の方向に折曲反転させると、同図に示すように、紙葉３のＨ及びＩ表示面、並びに紙葉４のＥ及びＦ表示面が前面に現れる。そのため、これらのＥ，Ｆ，Ｈ，Ｉの表示面には、前記Ａ表示面及びＢ表示面に記載の説明に続けて読むことが望ましい文字等が表示されていることが望まれる。
【００２５】
次いで、図３における紙葉４のＥ表示面及びＦ表示面を、図４の紙葉３における折り目線８，８において矢印の方向に折曲反転させると、同図に示すように、紙葉３のＧ・Ｈ表示面及び紙葉４のＬ・Ｋ表示面、並びに紙葉３のＩ・Ｊ表示面及び紙葉４のＮ・Ｍ表示面が前面に現れ、更に、図４の状態から紙葉４の折り目線９，９において紙葉３を図５に矢印で示す方向に折曲反転させると、同図に示すように紙葉４のＣ・Ｄ表示面が前面に現れることになる。
【００２６】
このＣ・Ｄ表示面を前面に表示させた後には、紙葉３の折り目線８，８の廻りで紙葉４を反転させることになるが、その結果は、図２に示す初期状態に戻り、以下、上述する操作、つまり、前面に現れている紙葉３又は４の遊端を、上下と左右に交互に繰り返し開く操作を行うことにより、上述した表示面が繰り返し現れることになり、顧客らはその奇抜さに興味をもって見ることになるため、そこに説明や図柄によって表示されている商品についての情報や販売促進のため説明の理解をより深めることになる。
【００２７】
なお、ここでは、ノベルティーピース１の前面の中央に現れる紙葉３又は４の遊端を、上下と左右に交互に繰り返し開く操作を行って、順次変わる表示面を見ることを説明したが、その逆の順序で、ノベルティーピース１の前面の周辺に現れる紙葉３又は４の遊端を上下と左右から交互に内側に繰り返して閉じる操作を行って、見る順序を逆にした表示を見ることができ、更に、最初に見る面が図２の上面側とは逆の下面側とし、上述したように繰り返し開く操作や繰り返し閉じる操作を行うことにより、表示の変化を楽しむこともできる。但し、そのような順序で使用の表示面を見るのが望ましいように、予め各表示面に印刷する内容を選定しておく必要がある。
【００２８】
このように、上記ノベルティーピース１によれば、紙葉３，４の折り目線８，９において上記紙葉３，４を部分的に折り返す操作を繰り返すことにより、上記表示部の文字や図柄が順次切換表示され、しかも、４つの表示面が順次繰り返して表示されるので、その表示に興味を持たせて多くの情報を伝達することができるばかりでなく、顧客が構造上の奇抜さに興味をもって表示内容を見るようになるので、多面表示による販売商品についての多情報伝達の効果を有効に発揮させることが可能となる。
【００２９】
また、本考案に係る瓶形商品用ノベルティーピースにおいては、上記瓶状の容器２の口部２ａに外嵌させる穴１０を、少なくとも２枚の紙葉３，４のそれぞれに開設できることについて前述したが、図９に示す第２実施例はその構成の一例を示し、特にこの実施例では、穴径を異にする二つの穴１０ａ，１０ｂを紙葉３と紙葉４に設けている。
このように、瓶状の容器２の口部２ａに外嵌させる穴１０の複数を設けることは、それらの穴のいずれを容器２の口部２ａに外嵌させるかによって、外側に現れる紙葉３，４における文字や図柄の表示面が変わることになるため、その穴の選定によって外側に現れる表示面を選択できることになる。
【００３０】
更に、紙葉３，４に設ける複数の穴の径を適宜選定することにより、瓶状の容器２の口部２ａの径に対応させることができるだけでなく、特に、図７のように容器２の口部２ａがテーパー状になっているときには、穴１０の径によって容器２に対しノベルティーピース１を保持させる高さが変わることになるので、図９の第２実施例のように、径が異なる複数の穴１０ａ，１０ｂを設けていれば、容器の口部２ａにおけるその穴径に対応する高さにノベルティーピース１を保持させることができ、また、同じノベルティーピース１を口部２ａの径が異なる複数種の容器に対応させることも可能になる。また、穴１０の形状を、その内周が円形のものとすれば、その径に適合する口部２ａを備えた容器２に対応させ得るのは勿論であるが、穴の内周に多数の舌片を突出させて、それらの舌片が口部２ａの外周に弾性的に接触するようにすれば、口部２ａの径が比較的広範囲の容器２対応させることもできる。
【００３１】
一方、本考案に係るノベルティーピースを構成する紙葉３，４は、その外形状を形成する矩形の長辺と短辺を任意に設定することができ、その長辺と短辺の寸法を適宜設定することにより、例えば、図７の容器２に取り付けるノベルティーピースは、図６に示すように側方に長く突出するように形成するとか、図８の容器２に取り付けるノベルティーピースは、同図に示すように容器２から外側に突出しない範囲内のものにするなど、商品との関連においてその形態を大幅に変更することもできる。
しかしながら、上記ノベルティーピースを保持させる商品との関連において、一般的には、２枚の矩形状をなす紙葉３，４における長辺と短辺の長さの比は３：２〜２：１とするのが、それ自体の製造や、商品に付して陳列するものとしてしは、望ましい範囲内といえるものである。
【符号の説明】
【００３２】
２      容器
２ａ    口部
３，４    紙葉
８，９    折り目線
１０      穴
【図１】
0003215692.tif 000003
【図２】
0003215692.tif 000004
【図３】
0003215692.tif 000005
【図４】
0003215692.tif 000006
【図５】
0003215692.tif 000007
【図６】
0003215692.tif 000008
【図７】
0003215692.tif 000009
【図８】
0003215692.tif 000010
【図９】
0003215692.tif 000011
【図１０】
0003215692.tif 000012